(57)【要約】【課題】被収納物の出し入れを容易にしつつ、引出しの収納容量の自由度が高まる建物を提供する。【解決手段】建物１は、複数の壁体３によって周囲を囲われた室内空間１１と、室内空間１１の床面を構成する下部床４１と、下部床４１よりも高い位置に配置され下部床４１とともに室内空間１１の床面を構成する上部床４２と、上部床４２の下方に形成された床下空間１２と、下部床４１と上部床４２との間に形成された段差部１３と、床下空間１２に配置され、段差部１３に形成された取出口１４を介して床下空間１２から室内空間１１へ引き出し可能な引出し８と、室内空間１１及び床下空間１２の一方に空調された空気を供給する空調装置６と、室内空間１１と床下空間１２とを連通する通気口４２ｅ及びガラリ７と、室内空間１１及び床下空間１２の一方から他方に、通気口４２ｅ及びガラリ７を介して空調された空気を移動させる排気装置９と、を備える。【選択図】図１
2012036577.tif 000002
【特許請求の範囲】
【請求項１】
複数の壁体によって周囲を囲われた室内空間と、
前記室内空間の床面を構成する下部床と、
前記下部床よりも高い位置に配置され、前記下部床とともに前記室内空間の床面を構成する上部床と、
前記上部床の下方に形成された床下空間と、
前記下部床と前記上部床との間に形成された段差部と、
前記床下空間に配置され、前記段差部に形成された取出口を介して、前記床下空間から前記室内空間へ引き出し可能な引出しと、
前記室内空間及び前記床下空間の一方に空調された空気を供給する空調手段と、
前記上部床及び／又は前記段差部に設けられ、前記室内空間と前記床下空間とを連通する連通手段と、
前記室内空間及び前記床下空間の一方から他方に、前記連通手段を介して、前記空調された空気を移動させる空気移動手段と、
を備えたことを特徴とする建物。
【請求項２】
前記連通手段は、水平方向に互いに間隔を空けて前記段差部に設置された複数のガラリであり、
前記取出口は、隣り合う前記ガラリの間に開口しており、
前記引出しは、前記取出口に臨むように配置されていることを特徴とする請求項１に記載の建物。
【請求項３】
前記連通手段は、前記上部床に板厚方向に貫通して形成された通気口であることを特徴とする請求項１に記載の建物。
【請求項４】
前記空調手段は、前記室内空間に空調された空気を供給し、
前記空気移動手段は、前記床下空間の空気を外部に排出することにより、前記室内空間から前記床下空間に、前記連通手段を介して、前記空調された空気を移動させることを特徴とする請求項１に記載の建物。
【発明の詳細な説明】
【技術分野】
【０００１】
本発明は、建物に関する。
【背景技術】
【０００２】
従来、床の下に形成される床下空間を、保存用の食品や酒類など（以下、「被収納物」という。）を収納する床下収納として利用することが知られている。
【０００３】
例えば、特許文献１には、室内空間の床面を構成する下部床と、下部床よりも上方に離間した位置に配置された上部床と、上部床と下部床との間に形成された床下空間と、上部床と下部床との間に形成された段差部と、床下空間に配置され、段差部に形成された取出口を介して、床下空間から室内空間へ引き出し可能な引出しと、を備えた建物に関する発明が開示されている。このような構成により、水平方向に引出しを引き出すことが可能になるため、床に開閉可能に設けられた蓋を介して、上下方向に被収納物を出し入れする構造に比較して、被収納物の出し入れが容易になっている。
【０００４】
ところで、床下空間は、室外空間と同等の環境であり、例えば冬期などの低温環境下において室内空間へ引出しを引き出したときに、床下空間から室内空間に冷気が流れてしまい、居住者に不快感を与えることがあった。そこで、前記特許文献１に記載の発明では、床下空間を奥行き方向に仕切る仕切部材を設けることで、床下空間と室外空間とを遮断して断熱効果を高めている。
【先行技術文献】
【特許文献】
【０００５】
【特許文献１】特開２００３−６４８９１号公報
【発明の概要】
【発明が解決しようとする課題】
【０００６】
ところが、前記仕切部材を設けると、床下空間の奥行き寸法が制約されるため、引出しの収納容量が制約されるという問題があった。
【０００７】
本発明は、かかる問題を解決するために成されたものであり、被収納物の出し入れを容易にしつつ、引出しの収納容量の自由度が高まる建物を提供することを課題とする。
【課題を解決するための手段】
【０００８】
本発明に係る建物は、複数の壁体によって周囲を囲われた室内空間と、前記室内空間の床面を構成する下部床と、前記下部床よりも高い位置に配置され、前記下部床とともに前記室内空間の床面を構成する上部床と、前記上部床の下方に形成された床下空間と、前記下部床と前記上部床との間に形成された段差部と、前記床下空間に配置され、前記段差部に形成された取出口を介して、前記床下空間から前記室内空間へ引き出し可能な引出しと、  前記室内空間及び前記床下空間の一方に空調された空気を供給する空調手段と、前記上部床及び／又は前記段差部に設けられ、前記室内空間と前記床下空間とを連通する連通手段と、前記室内空間及び前記床下空間の一方から他方に、前記連通手段を介して、前記空調された空気を移動させる空気移動手段と、を備えたことを特徴とする。
【０００９】
なお、連通手段は、水平方向に互いに間隔を空けて段差部に設置された複数のガラリで構成したり、上部床に板厚方向に貫通して形成された通気口で構成したり、またはこれらを併用した構成としたりするのが好ましい。また、空調手段は、室内空間に空調された空気を供給し、空気移動手段は、床下空間の空気を外部に排出することにより、室内空間から床下空間に、連通手段を介して、空調された空気を移動させるように構成するのが好ましい。
【００１０】
かかる構成によれば、空気移動手段により、室内空間と床下空間とを連通する連通手段を介して、空調された空気が、室内空間及び床下空間の一方から他方に移動（流入）するため、床下空間の環境を室内空間と同等にすることができる。したがって、床下空間に断熱用の仕切部材を設ける必要がなくなり、床下空間の奥行き寸法を広く確保することができるため、引出しの収納容量の自由度が高まる。
また、室内空間の床面を、下部床と下部床よりも高い位置に配置された上部床とで構成して、下部床と上部床との間に形成された段差部に、引出しを取り出すための取出口を形成したことにより、水平方向に被収納物を出し入れすることが可能になり、上下方向に被収納物を出し入れする構造に比較して、被収納物の出し入れが容易になる。
【００１１】
また、室内空間と床下空間とを連通する連通手段を設けるとともに、室内空間及び床下空間の一方から他方に、空調された空気を移動させる空気移動手段を設置したことにより、空調された空気をスムーズ且つ確実に移動させることができる。
【発明の効果】
【００１２】
本発明によれば、被収納物の出し入れを容易にしつつ、引出しの収納容量の自由度が高まる床下収納の断熱構造を提供することができる。
【図面の簡単な説明】
【００１３】
【図１】実施形態に係る建物の概略断面図である。
【図２】実施形態に係る建物の概略斜視図である。
【図３】変形例に係る建物の概略断面図である。
【発明を実施するための形態】
【００１４】
本発明の実施形態に係る建物について図面を参照して詳細に説明する。説明において、同一の要素には同一の符号を付し、重複する説明は省略する。
【００１５】
図１は、実施形態に係る建物の概略断面図であり、図２は、実施形態に係る建物の概略斜視図である。なお、図２においては、説明の便宜上、天井や空調装置などを省略して描いている。
図１に示すように、建物１は、例えば木造で建築された住宅であり、基礎２と、基礎２の上に立設された複数の壁体３，３と、基礎２の上方に設置された床４と、複数の壁体３の上に設置された天井５と、建物１の空調を行う空調装置６と、を主に備えている。
【００１６】
また、建物１は、一階部分に室内空間１１を有しているとともに、床４を構成する上部床４２の下方に形成された床下空間１２を有している。床下空間１２には、例えば、保存用の食品や酒類など（被収容物）を収容可能な引出し８が配置されている。さらに、建物１は、図２に示すように、下部床４１と上部床４２とを接続する階段１５を有している。なお、建物１の建築方法は、特に限定されるものではなく、軸組工法、枠組壁工法など、公知の工法を採用することができる。また、建物１は、高気密住宅でもよいし、そうでなくてもよい。
【００１７】
支持体である基礎２は、図１に示すように、壁体３や床４などを支持するための鉄筋コンクリート製の部材である。基礎２は、床下空間１２の底面を構成する盤状のスラブ部２１と、壁体３の設置位置に沿ってスラブ部２１から立ち上がる立ち上がり部２２と、を有している。建物１の外周に位置する立ち上がり部２２の内側面には、断熱材２３が設置されている。基礎断熱構造とすることによって、基礎コンクリートの蓄熱作用を利用して、室温の安定化と省エネ化を図ることができる。
【００１８】
壁体３は、図１に示すように、室内空間１１の周囲を囲う部材である。下部床４１側の壁体３は、基礎２のスラブ部２１の上に設置され、上部床４２側の壁体３は、基礎２の立ち上がり部２２の上に設置されている。
【００１９】
床４は、図１及び図２に示すように、下部床４１と、この下部床４１より高い位置に配置された上部床４２と、から構成されている。
【００２０】
下部床４１は、室内空間１１の床面を構成しており、床版４１ａを備えている。床版４１ａは、例えば、床下地４１ｃと、床下地４１ｃの上面に取り付けられたフローリングなどの仕上げ材４１ｄと、を有している。
【００２１】
上部床４２は、二重床で構成されており、基礎２のスラブ部２１から上方に離間した位置に設置された床版４２ａと、床版４２ａを支持する複数の床束４２ｂ,４２ｂと、を備えている。床版４２ａは、床下空間１２の上面を構成し、かつ下部床４１とともに室内空間１１の床面を構成している。床版４２ａは、例えば、床下地４２ｃと、床下地４２ｃの上面に取り付けられたフローリングなどの仕上げ材４２ｄと、を有している。
【００２２】
床版４２ａには、図２に示すように、連通手段である複数（例えば横４列×縦２列、合計８つ）の通気口４２ｅ，４２ｅが板厚方向に貫通して形成されている。通気口４２ｅは、室内空間１１と床下空間１２とを連通して、空調装置６から室内空間１１に供給された空気を、床下空間１２に流入させる役割を果たす。なお、通気口４２ｅの数は適宜変更してよい。また、本実施形態の通気口４２ｅは、横断面視円形状を呈しているが、これに限定されるものではなく、その形状は適宜変更してよい。さらに、通気口４２ｅには、床下空間１２に物などが落下するのを防止するために、例えば、網目の細かいネットなどのフィルタ部材を設置するのが好ましい。
【００２３】
床束４２ｂは、例えば、伸縮自在に構成された鋼製の部材であり、床版４２ａとスラブ部２１との間に介在して、床版４１ａの高さを調節できるようになっている。
【００２４】
下部床４１と上部床４２との間には、図２に示すように、段差部１３が形成されている。段差部１３には、連通手段であるガラリ７が、水平方向に互いに間隔を空けて複数（本実施形態では４つ）設置されている。ガラリ７は、室内空間１１と床下空間１２とを連通して、通気口４２ｅとともに、空調装置６から室内空間１１に供給された空気を、床下空間１２に流入させる役割を果たす。なお、ガラリ７の数は、適宜変更してよい。
【００２５】
また、段差部１３には、隣り合うガラリ７，７の間において、室内空間１１に開口する複数の（本実施形態では３つの）取出口１４，１４が形成されている。取出口１４は、引出し８の出し入れ口としての役割を果たすとともに、居住者が床下空間１２を点検する際に出入りするための床下点検口としての役割も果たす。なお、取出口１４の数は、適宜変更してよい。
【００２６】
引出し８は、図２に示すように、取出口１４に臨む位置に複数（本実施形態では３つ）配置されており、取出口１４を介して、床下空間１２から室内空間１１へ引き出し可能に構成されている。引出し８は、上面が開口する箱状に形成されており、室内空間１１に面する前面には、引出し８を引き出す際に使用される略矩形状の貫通孔８ａが貫通して形成されている。なお、引出し８の数は、適宜変更してよい。
【００２７】
引出し８の下部には、左右一対のキャスター８ｂ，８ｂが前後に離間して取り付けられている（図１及び図２では片側のキャスター８ｂのみ図示）。このキャスター８ｂが走行するためのレール部材８ｃが、引き出し方向に沿うように、床下空間１２のスラブ部２１の上面に設置されている。レール部材８ｃは、水平方向に（引き出し方向と交差する方向に）互いに間隔を空けて複数（本実施形態では６つ）設置されている。
【００２８】
天井５は、図１に示すように、室内空間１１の天井面を構成するとともに、２階の床を構成する部材である。天井５は、中空構造になっており、その内部には空調装置６からの空気を室内空間１１に導くためのダクト６１が室内空間１１に開口するように設置されている。なお、ダクト６１は、壁体３に設けてもよい。
【００２９】
空調手段である空調装置６は、取り込んだ空気の温度や湿度を調節し、その空調した空気を室内空間１１に供給する装置である。空調装置６は、例えば、小屋裏空間や屋外などに設置されている。空調装置６から送り出された空気は、ダクト６１を介して室内空間１１に供給される。なお、空調方法は、全館空調システムでもよいし、個別空調でもよい。
【００３０】
床下空間１２には、床下空間１２の空気を外部に排出するための空気移動手段である排気装置９が設置されている。排気装置９は、ファン９１と、排気ダクト９２とから構成されている。床下空間１２の外壁を構成する立ち上がり部２２には、排気ダクト９２を設置するための貫通孔２２ａが貫通して形成されている。
【００３１】
なお、本実施形態では、排気ダクト９２の端部は、単に室外空間１６に開口しているが、図示しない循環パイプを介して空調装置６の空気取入口に連結されるように構成してもよい。このようにすれば、建物１内の空調された空気を有効利用することができ、熱効率を向上させることができる。また、排気ダクト９２の端部は、隣接する居室（部屋）がある場合には、当該居室に連結されるように構成してもよい。
【００３２】
次に、本実施形態に係る建物１の動作及び作用効果について、図１及び図２を参照して説明する。
【００３３】
まず、空調装置６の図示しない操作スイッチを操作して、室内空間１１の温度及び湿度などを設定し、空調装置６の運転を開始する。そうすると、空調装置６は、取り込んだ空気を設定した温度及び湿度に空調し、室内空間１１に、ダクト６１を介して空調した空気を供給する。
【００３４】
空調装置６の運転を開始するのに連動して、排気装置９の運転を開始することにより、床下空間１２の空気を、床下空間１２の外部（室外空間１６）に排出する。
そうすると、床下空間１２の気圧が低下するため、床下空間１２の上方にある室内空間１１の空気が、通気口４２ｅ及びガラリ７を介して、床下空間１２に流入する。
【００３５】
以上説明した本実施形態によれば、排気装置９が床下空間１２の空気を外部に排出することにより、通気口４２ｅ及びガラリ７を介して、室内空間１１の空調された空気が、床下空間１２に流入するため、床下空間１２の環境を室内空間１１と同等にすることができる。したがって、床下空間１２に断熱用の仕切部材を設ける必要がなくなり、床下空間１２の奥行き寸法を広く確保することができるため、引出し８の収納容量の自由度が高まる。
【００３６】
また、室内空間１１の床面を、下部床４１と下部床４１よりも高い位置に配置された上部床４２とで構成して、下部床４１と上部床４２との間に形成された段差部１３に、引出し８を取り出すための取出口１４を形成したことにより、水平方向に被収納物を出し入れすることが可能になり、上下方向に被収納物を出し入れする構造に比較して、被収納物の出し入れが容易になる。
【００３７】
また、室内空間１１と床下空間１２とを連通する通気口４２ｅ及びガラリ７を設けるとともに、床下空間１２に空調された空気を移動させる排気装置９を設置したことにより、室内空間１１から床下空間１２に、空調された空気をスムーズ且つ確実に移動させることができる。
【００３８】
以上、本発明の好適な実施形態について、図面を参照して説明したが、本発明はこの実施形態に限定されるものではなく、本発明の主旨を逸脱しない範囲で適宜変更することができる。
【００３９】
以下に、本実施形態に係る建物１の変形例について、図３を参照して説明する。なお、説明においては、本実施形態と相違する点について詳しく説明し、本実施形態と同一の要素については、本実施形態と同一の符号を付し、重複する説明を省略する。
【００４０】
図３は、変形例に係る建物の概略断面図である。
変形例では、下部床４１を二重床で構成して、床下空間１２を拡大し、この拡大した箇所まで空調された空気を流入させる点が、前記した実施形態と異なっている。
【００４１】
下部床４１は、基礎２のスラブ部２１から上方に離間した位置に設置された床版４１ａと、床版４１ａを支持する複数の床束４１ｂ,４１ｂと、を備えている。床版４１ａは、床下空間１２の上面を構成するとともに、室内空間１１の床面を構成している。なお、段差部１３は、床束４１ｂ及び床束４２ｂの上下方向の長さを調整して、下部床４１の床版４１ａと上部床４２の床版４２ａとに高低差をつけることで形成されている。
【００４２】
上部床４２の床版４２ａは、下部床４１を二重床で構成したため、前記した実施形態よりも高い位置に配置されている。また、レール部材８ｃは、図示しない支持部材を介して、基礎２のスラブ部２１から上方に離間した位置に設置されている。
【００４３】
排気装置９は、床版４１ａの下方に形成された床下空間１２に設置されている。下部床４１側の立ち上がり部２２には、排気ダクト９２を設置するための貫通孔２２ａが貫通して形成されている。なお、下部床４１の床版４１ａに通気口４２ｅを形成して、上部床４２の床版４２ａの下方に形成された床下空間１２に排気装置９を設置してもよい。
【００４４】
以上説明した変形例によれば、床下空間１２の空気を、床下空間１２の外部（室外空間１６）に排出すると、床下空間１２の気圧が低下するため、床下空間１２の上方にある室内空間１１の空気が、通気口４２ｅ及びガラリ７を介して、上部床４２側の床下空間１２に流入する。そして、上部床４２側の床下空間１２に流入した空気が、隣り合うレール部材８ｃ,８ｃの間を介して、下部床４１側の床下空間１２に流入する。
したがって、前記した実施形態と同様の作用効果を得ることができる。
【００４５】
本実施形態では、建物１の一例として戸建て住宅を用いたが、マンションなどの集合住宅に適用することも可能である。その場合には、マンションの構造躯体（例えばコンクリートスラブ等）が支持体となる。
【００４６】
また、本実施形態では、室内空間１１に空調された空気を送り、床下空間１２の空気を排気することで、室内空間１１から床下空間１２に空調された空気を移動させることとしたが、本発明はこれに限定されるものではなく、床下空間１２に空調された空気を先に送り、室内空間１１の空気を排気することで、床下空間１２から室内空間１１に空調された空気を移動させるようにしてもよい。このようにした場合でも、本実施形態と同様の作用効果を得ることができる。
【００４７】
また、本実施形態では、通気口４２ｅ及びガラリ７を設けて室内空間１１と床下空間１２とを連通するように構成したが、本発明はこれに限定されるものではなく、通気口４２ｅ又はガラリ７のどちらか一方を設けて室内空間１１と床下空間１２とを連通する構成としてもよい。
【００４８】
また、本実施形態では、取出口１４にガラリ７を取り付けたが、本発明はこれに限定されるものではなく、室内空間１１と床下空間１２とを連通可能であれば、いかなる部材であってもよい。例えば、網目状のネットや貫通孔を有する板部材などを取り付けてもよい。
【符号の説明】
【００４９】
１      建物
１１    室内空間
１２    床下空間
１３    段差部
１４    取出口
１５    階段
１６    室外空間
２      基礎（支持体）
２１    スラブ部
２２    立ち上がり部
２２ａ  貫通孔
２３    断熱材
３      壁体
４      床
４１    下部床
４１ａ  床版
４１ｂ  床束
４１ｃ  床下地
４１ｄ  仕上げ材
４２    上部床
４２ａ  床版
４２ｂ  床束
４２ｃ  床下地
４２ｄ  仕上げ材
４２ｅ  通気口（連通手段）
５      天井
６      空調装置（空調手段）
６１    ダクト
７      ガラリ（連通手段）
８      引出し
８ａ    貫通孔
８ｂ    キャスター
８ｃ    レール部材
９      排気装置（空気移動手段）
９１    ファン
９２    排気ダクト
【図１】
2012036577.tif 000003
【図２】
2012036577.tif 000004
【図３】
2012036577.tif 000005